(57)【要約】      （修正有）【課題】測定条件が変更された場合であっても、複雑な作業を要することなく、変更前の期間における計測結果をユーザに提示することのできるセンサデータ表示処理装置を提供する。【解決手段】センサデータ表示処理装置１０１は、センサ１５１の計測結果を含むセンサデータを複数のセンサ１５１から取得する取得部１１と、測定ケースごとに、対応する１または複数のセンサ１５１を設定する設定部１２と、測定ケースの指定を受け付ける入力受付部１５と、取得部１１により取得された複数のセンサデータのうち、入力受付部で指定を受け付けた測定ケースに対応する１または複数のセンサデータに基づく内容を表示する表示処理を行う処理部１４とを備える。【選択図】図１
2019020247.tif 000002
【特許請求の範囲】
【請求項１】
センサの計測結果を含むセンサデータを複数の前記センサから取得する取得部と、
測定ケースごとに、対応する１または複数の前記センサを設定する設定部と、
前記測定ケースの指定を受け付ける受付部と、
前記取得部により取得された複数の前記センサデータのうち、前記受付部で指定を受け付けた前記測定ケースに対応する１または複数の前記センサデータに基づく内容を表示する表示処理を行う処理部とを備える、センサデータ表示処理装置。
【請求項２】
前記設定部は、前記測定ケースに対応する１または複数の前記センサおよび期間を設定する、請求項１に記載のセンサデータ表示処理装置。
【請求項３】
前記受付部は、前記センサの指定をさらに受け付け、
前記処理部は、前記表示処理において、前記受付部で指定を受け付けた前記測定ケースにおける、前記受付部で指定を受け付けた前記センサに対応する前記センサデータに基づく内容を表示する処理を行う、請求項１または請求項２に記載のセンサデータ表示処理装置。
【請求項４】
前記設定部は、前記測定ケースに対応する、前記センサの複数のグループを設定し、
前記受付部は、前記グループの指定をさらに受け付け、
前記処理部は、前記表示処理において、前記受付部で指定を受け付けた前記測定ケースにおける、前記受付部で指定を受け付けた前記グループに属する１または複数の前記センサに対応する前記センサデータに基づく内容を表示する処理を行う、請求項１から請求項３のいずれか１項に記載のセンサデータ表示処理装置。
【請求項５】
各前記グループは、前記センサの位置に基づいて設定される、請求項４に記載のセンサデータ表示処理装置。
【請求項６】
各前記グループは、前記センサの種別に基づいて設定される、請求項４または請求項５に記載のセンサデータ表示処理装置。
【請求項７】
前記設定部は、前記測定ケースに対応する１または複数の前記センサおよび配置場所を設定し、
前記処理部は、前記受付部で指定を受け付けた前記測定ケースに対応する前記配置場所を認識可能に表示する処理を行う、請求項１から請求項６のいずれか１項に記載のセンサデータ表示処理装置。
【請求項８】
前記受付部は、前記センサの指定をさらに受け付け、
前記処理部は、前記受付部で指定を受け付けた前記センサの前記配置場所における位置を認識可能にさらに表示する処理を行う、請求項７に記載のセンサデータ表示処理装置。
【請求項９】
前記設定部は、前記測定ケースに対応する、前記センサの複数のグループを設定し、
前記受付部は、前記グループの指定をさらに受け付け、
前記処理部は、前記受付部で指定を受け付けた前記グループに属する１または複数の前記センサの前記配置場所における位置を認識可能にさらに表示する処理を行う、請求項７または請求項８に記載のセンサデータ表示処理装置。
【請求項１０】
前記グループは、前記センサの種別に基づいて設定され、
前記受付部は、前記種別の指定をさらに受け付け、
前記処理部は、前記受付部で指定を受け付けた前記種別の１または複数の前記センサの前記配置場所における位置を認識可能にさらに表示する処理を行う、請求項９に記載のセンサデータ表示処理装置。
【請求項１１】
センサデータ表示処理装置における表示処理方法であって、
測定ケースごとに、対応する１または複数のセンサが設定されており、
前記センサの計測結果を含むセンサデータを複数の前記センサから取得するステップと、
前記測定ケースの指定を受け付けるステップと、
取得した複数の前記センサデータのうち、指定を受け付けた前記測定ケースに対応する１または複数の前記センサデータに基づく内容を表示する表示処理を行うステップとを含む、表示処理方法。
【請求項１２】
センサデータ表示処理装置において用いられる表示処理プログラムであって、
コンピュータを、
センサの計測結果を含むセンサデータを複数の前記センサから取得する取得部と、
測定ケースごとに、対応する１または複数の前記センサを設定する設定部と、
前記測定ケースの指定を受け付ける受付部と、
前記取得部により取得された複数の前記センサデータのうち、前記受付部で指定を受け付けた前記測定ケースに対応する１または複数の前記センサデータに基づく内容を表示する表示処理を行う処理部、
として機能させるための、表示処理プログラム。
【発明の詳細な説明】
【技術分野】
【０００１】
本発明は、センサデータ表示処理装置、表示処理方法および表示処理プログラムに関する。
【背景技術】
【０００２】
従来、センサの計測結果をユーザに対して分かりやすく表示するための技術が開発されている。たとえば、特開２００９−２５１６０号公報（特許文献１）には、複数の計測値をグループ分けし、測定値を示すグラフを当該測定値の属するグループに対応づけられたウィンドウに表示する装置が記載されている。
【０００３】
また、たとえば、特開２０１４−１８６６２９号公報（特許文献２）には、屋内のレイアウト図において、測定器の位置を表示する装置が記載されている。
【先行技術文献】
【特許文献】
【０００４】
【特許文献１】特開２００９−２５１６０号公報
【特許文献２】特開２０１４−１８６６２９号公報
【発明の概要】
【発明が解決しようとする課題】
【０００５】
ところで、センサの配置場所における環境、または当該配置場所におけるセンサの位置または数など、測定条件が変更されることがある。このような場合、測定条件の変更前の期間におけるセンサの計測結果を確認するためには、たとえば、確認時において、ユーザが計測結果の表示処理を行う装置に対して変更前の測定条件を入力するなどの作業が必要であり、多くの手間を要する。
【０００６】
この発明は、上述の課題を解決するためになされたもので、その目的は、測定条件が変更された場合であっても、複雑な作業を要することなく、変更前の期間における計測結果をユーザに提示することのできるセンサデータ表示処理装置、表示処理方法および表示処理プログラムを提供することである。
【課題を解決するための手段】
【０００７】
（１）上記課題を解決するために、この発明のある局面に係るセンサデータ表示処理装置は、センサの計測結果を含むセンサデータを複数の前記センサから取得する取得部と、測定ケースごとに、対応する１または複数の前記センサを設定する設定部と、前記測定ケースの指定を受け付ける受付部と、前記取得部により取得された複数の前記センサデータのうち、前記受付部で指定を受け付けた前記測定ケースに対応する１または複数の前記センサデータに基づく内容を表示する表示処理を行う処理部とを備える。
【０００８】
（１１）上記課題を解決するために、この発明のある局面に係る表示処理方法は、センサデータ表示処理装置における表示処理方法であって、測定ケースごとに、対応する１または複数のセンサが設定されており、前記センサの計測結果を含むセンサデータを複数の前記センサから取得するステップと、前記測定ケースの指定を受け付けるステップと、取得した複数の前記センサデータのうち、指定を受け付けた前記測定ケースに対応する１または複数の前記センサデータに基づく内容を表示する表示処理を行うステップとを含む。
【０００９】
（１２）上記課題を解決するために、この発明のある局面に係る表示処理プログラムは、センサデータ表示処理装置において用いられる表示処理プログラムであって、コンピュータを、センサの計測結果を含むセンサデータを複数の前記センサから取得する取得部と、測定ケースごとに、対応する１または複数の前記センサを設定する設定部と、前記測定ケースの指定を受け付ける受付部と、前記取得部により取得された複数の前記センサデータのうち、前記受付部で指定を受け付けた前記測定ケースに対応する１または複数の前記センサデータに基づく内容を表示する表示処理を行う処理部、として機能させるためのプログラムである。
【００１０】
本発明は、このような特徴的な処理部を備えるセンサデータ表示処理装置として実現することができるだけでなく、センサデータ表示処理装置の一部または全部を実現する半導体集積回路として実現したり、センサデータ表示処理装置を含むセンサデータ管理システムとして実現したりすることができる。
【発明の効果】
【００１１】
本発明によれば、測定条件が変更された場合であっても、複雑な作業を要することなく、変更前の期間における計測結果をユーザに提示することができる。
【図面の簡単な説明】
【００１２】
【図１】図１は、本発明の実施の形態に係るセンサデータ管理システムの構成を示す図である。
【図２】図２は、本発明の実施の形態に係るセンサデータ表示処置装置により表示される測定ケースの設定画面の一例を示す図である。
【図３】図３は、本発明の実施の形態に係るセンサデータ表示処置装置により表示されるグループの設定画面の一例を示す図（その１）である。
【図４】図４は、本発明の実施の形態に係るセンサデータ表示処置装置により表示されるグループの設定画面の一例を示す図（その２−１）である。
【図５】図５は、本発明の実施の形態に係るセンサデータ表示処置装置により表示されるグループの設定画面の一例を示す図（その２−２）である。
【図６】図６は、本発明の実施の形態に係るセンサデータ表示処置装置により表示されるグループの設定画面の一例を示す図（その２−３）である。
【図７】図７は、本発明の実施の形態に係るセンサデータ表示処置装置により表示されるグループの設定画面の一例を示す図（その３−１）である。
【図８】図８は、本発明の実施の形態に係るセンサデータ表示処置装置により表示されるグループの設定画面の一例を示す図（その３−２）である。
【図９】図９は、本発明の実施の形態に係るセンサデータ表示処置装置により表示されるグループの設定画面の一例を示す図（その３−３）である。
【図１０】図１０は、本発明の実施の形態に係るセンサデータ表示処置装置により表示されるマップの設定画面の一例を示す図である。
【図１１】図１１は、本発明の実施の形態に係るセンサデータ表示処置装置により表示されるグラフ画面の一例を示す図である。
【図１２】図１２は、本発明の実施の形態に係るセンサデータ表示処置装置により表示されるマップ画面の一例を示す図である。
【図１３】図１３は、本発明の実施の形態に係るセンサデータ表示処理装置の動作の流れの一例を示すフローチャートである。
【発明を実施するための形態】
【００１３】
最初に、本発明の実施形態の内容を列記して説明する。
【００１４】
（１）本発明の実施の形態に係るセンサデータ表示処理装置は、センサの計測結果を含むセンサデータを複数の前記センサから取得する取得部と、測定ケースごとに、対応する１または複数の前記センサを設定する設定部と、前記測定ケースの指定を受け付ける受付部と、前記取得部により取得された複数の前記センサデータのうち、前記受付部で指定を受け付けた前記測定ケースに対応する１または複数の前記センサデータに基づく内容を表示する表示処理を行う処理部とを備える。
【００１５】
このような構成により、ユーザにおいて、複数の測定ケースの中から所望の測定ケースを指定する操作を行うことで、指定した測定ケースに対応するセンサデータに基づく内容を確認することができる。したがって、測定条件が変更された場合であっても、複雑な作業を要することなく、変更前の期間における計測結果をユーザに提示することができる。
【００１６】
（２）好ましくは、前記設定部は、前記測定ケースに対応する１または複数の前記センサおよび期間を設定する。
【００１７】
このような構成により、ユーザにおいて、各測定ケースに対応する期間を確認することで、複数の測定ケースの中から所望の測定ケースをより容易に特定することができる。
【００１８】
（３）好ましくは、前記受付部は、前記センサの指定をさらに受け付け、前記処理部は、前記表示処理において、前記受付部で指定を受け付けた前記測定ケースにおける、前記受付部で指定を受け付けた前記センサに対応する前記センサデータに基づく内容を表示する処理を行う。
【００１９】
このような構成により、測定ケースに多数のセンサが対応づけられている場合であっても、多数のセンサのうちの指定されたセンサに対応するセンサデータに基づく内容が表示されるため、煩雑な表示となることを避けることができる。
【００２０】
（４）好ましくは、前記設定部は、前記測定ケースに対応する、前記センサの複数のグループを設定し、前記受付部は、前記グループの指定をさらに受け付け、前記処理部は、前記表示処理において、前記受付部で指定を受け付けた前記測定ケースにおける、前記受付部で指定を受け付けた前記グループに属する１または複数の前記センサに対応する前記センサデータに基づく内容を表示する処理を行う。
【００２１】
このように、測定ケースに対応する１または複数のセンサがグループ分けされている構成により、測定ケースに多数のセンサが対応づけられている場合であっても、ユーザにおいて多数のセンサの中から所望のセンサを容易に特定することができる。
【００２２】
（５）より好ましくは、各前記グループは、前記センサの位置に基づいて設定される。
【００２３】
このような構成により、たとえば、ユーザにおいて所望のエリアに対応するグループを指定することにより、当該エリアにおける計測結果を容易に確認することができる。
【００２４】
（６）より好ましくは、各前記グループは、前記センサの種別に基づいて設定される。
【００２５】
このような構成により、ユーザにおいて所望の種別に対応するグループを指定し、さらに当該グループに属するセンサを指定することにより、当該種別に対応するセンサの計測結果を容易に確認することができる。
【００２６】
（７）好ましくは、前記設定部は、前記測定ケースに対応する１または複数の前記センサおよび配置場所を設定し、前記処理部は、前記受付部で指定を受け付けた前記測定ケースに対応する前記配置場所を認識可能に表示する処理を行う。
【００２７】
このような構成により、ユーザにおいて、複数の測定ケースの中から所望の測定ケースを指定する操作を行うことで、当該測定ケースに対応する１または複数のセンサの配置場所を容易に確認することができる。
【００２８】
（８）より好ましくは、前記受付部は、前記センサの指定をさらに受け付け、前記処理部は、前記受付部で指定を受け付けた前記センサの前記配置場所における位置を認識可能にさらに表示する処理を行う。
【００２９】
このような構成により、測定ケースに多数のセンサが対応づけられている場合であっても、多数のセンサのうちの指定されたセンサの配置場所における位置が表示されるため、煩雑な表示となることを避けることができる。
【００３０】
（９）より好ましくは、前記設定部は、前記測定ケースに対応する、前記センサの複数のグループを設定し、前記受付部は、前記グループの指定をさらに受け付け、前記処理部は、前記受付部で指定を受け付けた前記グループに属する１または複数の前記センサの前記配置場所における位置を認識可能にさらに表示する処理を行う。
【００３１】
このように、測定ケースに対応する１または複数のセンサがグループ分けされている構成により、測定ケースに多数のセンサが対応づけられている場合であっても、ユーザにおいて多数のセンサの中から所望のセンサを容易に特定することができる。
【００３２】
（１０）より好ましくは、前記グループは、前記センサの種別に基づいて設定され、前記受付部は、前記種別の指定をさらに受け付け、前記処理部は、前記受付部で指定を受け付けた前記種別の１または複数の前記センサの前記配置場所における位置を認識可能にさらに表示する処理を行う。
【００３３】
このような構成により、たとえば、ユーザにおいて所望の種別に対応するグループを指定することにより、当該種別に対応するセンサの位置を容易に確認することができる。
【００３４】
（１１）本発明の実施の形態に係る表示処理方法は、センサデータ表示処理装置における表示処理方法であって、測定ケースごとに、対応する１または複数のセンサが設定されており、前記センサの計測結果を含むセンサデータを複数の前記センサから取得するステップと、前記測定ケースの指定を受け付けるステップと、取得した複数の前記センサデータのうち、指定を受け付けた前記測定ケースに対応する１または複数の前記センサデータに基づく内容を表示する表示処理を行うステップとを含む。
【００３５】
このような方法により、ユーザにおいて、複数の測定ケースの中から所望の測定ケースを指定する操作を行うことで、指定した測定ケースに対応するセンサデータに基づく内容を確認することができる。したがって、測定条件が変更された場合であっても、複雑な作業を要することなく、変更前の期間における計測結果をユーザに提示することができる。
【００３６】
（１２）本発明の実施の形態に係る表示処理プログラムは、センサデータ表示処理装置において用いられる表示処理プログラムであって、コンピュータを、センサの計測結果を含むセンサデータを複数の前記センサから取得する取得部と、測定ケースごとに、対応する１または複数の前記センサを設定する設定部と、前記測定ケースの指定を受け付ける受付部と、前記取得部により取得された複数の前記センサデータのうち、前記受付部で指定を受け付けた前記測定ケースに対応する１または複数の前記センサデータに基づく内容を表示する表示処理を行う処理部、として機能させるためのプログラムである。
【００３７】
このような構成により、ユーザにおいて、複数の測定ケースの中から所望の測定ケースを指定する操作を行うことで、指定した測定ケースに対応するセンサデータに基づく内容を確認することができる。したがって、測定条件が変更された場合であっても、複雑な作業を要することなく、変更前の期間における計測結果をユーザに提示することができる。
【００３８】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３９】
＜構成および基本動作＞
［全体構成］
図１は、本発明の実施の形態に係るセンサデータ管理システムの構成を示す図である。
【００４０】
図１を参照して、センサデータ管理システム２０１は、センサデータ表示処理装置１０１と、１または複数のデータロガー１０２と、複数のセンサ１５１とを備える。図１では、一例として、４つのデータロガー１０２を示している。
【００４１】
各センサ１５１は、たとえば、作物の栽培が行われている場所などに設置される、温度センサ、湿度センサ、給水量センサ、照度センサまたは電気伝導度センサなどである。各センサ１５１は、計測結果を含むセンサデータを、有線通信または無線通信により、定期的または不定期にデータロガー１０２へ送信する。センサデータには、たとえば、計測結果に加えて、送信元であるセンサ１５１の識別情報および現在時刻が含まれる。
【００４２】
また、各センサ１５１は、複数のデータロガー１０２のうちのいずれか１つに対応づけられており、対応するデータロガー１０２との間で予め割り当てられたチャネルを用いてセンサデータの送信を行う。
【００４３】
各データロガー１０２は、複数のセンサ１５１からそれぞれ送信された複数のセンサデータを受信し、受信したセンサデータをセンサデータ表示処理装置１０１へ送信する。
【００４４】
センサデータ表示処理装置１０１は、複数のデータロガー１０２からそれぞれ送信された複数のセンサデータを受信し、受信した複数のセンサデータに基づく内容を、自己のモニタ等に表示する表示処理を行う。
【００４５】
［センサデータ表示処理装置］
センサデータ表示処理装置１０１は、取得部１１と、設定部１２と、蓄積部１３と、処理部１４と、入力受付部１５とを含む。取得部１１は、データロガー１０２から送信されたセンサデータを受信し、受信したセンサデータを蓄積部１３に保存する。
【００４６】
入力受付部１５は、ユーザによるセンサ１５１の設定に関する入力操作、およびユーザによる画面表示に関する入力操作を受け付け、入力された内容を示す入力情報を設定部１２および処理部１４へ出力する。
【００４７】
設定部１２は、入力受付部１５から入力情報を受けると、当該入力情報に基づいてセンサ１５１の設定を行い、設定内容を蓄積部１３に保存する。
【００４８】
より詳細には、設定部１２は、入力情報に基づいて、複数の測定ケースを設定する。測定ケースは、測定期間、センサ１５１の配置場所、センサ１５１の種別、配置場所の環境、配置場所におけるセンサ１５１の位置もしくは数などの測定条件の違いに応じてユーザにより任意に決定される。たとえば、設定部１２は、測定ケースごとに、名前、１または複数のセンサ１５１および測定条件に関する説明を対応づけて、蓄積部１３に保存する。
【００４９】
また、設定部１２は、入力情報に基づいて、測定ケースごとに、１または複数のセンサ１５１のグループを設定する。各グループは、たとえば、センサ１５１の位置または種別に基づいて設定される。すなわち、測定ケースに対応する複数のセンサ１５１は、配置場所における位置または種別に応じて１または複数のグループに分けられる。設定部１２は、グループごとに、名前および１または複数のセンサ１５１を対応づけて、蓄積部１３に保存する。
【００５０】
また、設定部１２は、入力情報に基づいて、測定ケースごとに、対応する１または複数のセンサ１５１の各々の位置を設定する。たとえば、ユーザは、配置場所における各センサ１５１の実際の位置を把握し、実際の位置に合わせて各センサ１５１の位置を入力する。
【００５１】
そして、設定部１２は、入力情報に基づいて、蓄積部１３に保存されているマップ上に１または複数のセンサ１５１にそれぞれ対応する１または複数のアイコンを配置し、アイコンが配置されたマップを蓄積部１３に保存する。設定部１２による測定ケースの設定、グループの設定、およびセンサ１５１の位置の設定の詳細については、後述する。
【００５２】
処理部１４は、入力受付部１５から入力情報を受けると、当該入力情報に基づく画面を自己のセンサデータ表示処理装置１０１に設けられたモニタ等に表示する表示処理を行う。
【００５３】
より詳細には、処理部１４は、たとえば、ユーザにより指定された測定ケースに対応する１または複数のセンサ１５１の各々の計測結果を示すグラフを表示する処理を行う。また、処理部１４は、たとえば、ユーザにより測定ケースに対応する１または複数のグループのうちのいずれか１つが指定された場合、指定されたグループに属する１または複数のセンサ１５１の各々の計測結果を示すグラフを表示する処理を行う。
【００５４】
また、処理部１４は、ユーザにより指定された測定ケースに対応する１または複数のセンサ１５１の配置場所を認識可能に表示する処理を行うことができる。
【００５５】
たとえば、処理部１４は、ユーザにより指定された測定ケースに対応する１または複数のセンサ１５１にそれぞれ対応する１または複数のアイコンが配置されたマップ画面を表示する処理を行う。また、処理部１４は、たとえば、ユーザにより測定ケースに対応する１または複数のグループのうちのいずれか１つが指定された場合、指定されたグループに属する１または複数のセンサ１５１にそれぞれ対応する１または複数のアイコンが配置されたマップ画面を表示する処理を行う。処理部１４により表示される画面の詳細については、後述する。
【００５６】
なお、処理部１４は、自己のセンサデータ表示処理装置１０１とは別の表示装置のモニタ等に画面を表示する処理を行う構成であってもよい。
【００５７】
［設定部による設定処理］
（測定ケースの設定の具体例）
図２は、本発明の実施の形態に係るセンサデータ表示処置装置により表示される測定ケースの設定画面の一例を示す図である。
【００５８】
図１および図２を参照して、入力受付部１５は、測定ケースを設定するための所定の入力操作をユーザがセンサデータ表示処理装置１０１に対して行うと、ユーザの入力した内容を示す入力情報を設定部１２および処理部１４へ出力する。
【００５９】
処理部１４は、入力受付部１５から入力情報を受けると、当該入力情報に基づいてユーザの入力操作の内容を認識し、図２に示すようなケース設定画面Ｓｃ１を表示する処理を行う。
【００６０】
また、入力受付部１５は、ケース設定画面Ｓｃ１における、名前欄、期間欄および説明欄への入力操作を受け付ける。
【００６１】
具体的には、ユーザは、測定期間が２０１７年１月１日の９時〜２０１７年１月３１日の２１時であり、測定場所が「温室１」である状況を「ケース１」の測定ケースとして決定したとする。この場合、ユーザは、ケース設定画面Ｓｃ１において、たとえば、名前欄に「ケース１」を入力し、期間欄に「２０１７年１月１日９時〜２０１７年１月３１日２１時」を入力し、説明欄に「温室１」を入力する。
【００６２】
また、ユーザは、測定期間が２０１７年１月１日の９時以降であり、測定場所が「温室２」であり、測定場所の環境として温度が３０℃以下である状況を「ケース２」の測定ケースとして決定したとする。この場合、ユーザは、ケース設定画面Ｓｃ１において、たとえば、名前欄に「ケース２」を入力し、期間欄に「２０１７年１月１日９時〜」を入力し、説明欄に「温室２」および「温度３０℃以下」を入力する。
【００６３】
また、ユーザは、たとえば、２０１７年１月３１日の２１時以降のタイミングにおいて、「温室１」に栽培用の区画（以下、「ベッド」と称する。）を複数追加し、「温室１」に設置されている複数の温度センサ１５１の位置を変更し、さらに、「温室１」に照度センサ１５１を追加したとする。そして、ユーザは、ベッドの追加、温度センサ１５１の位置の変更、および照度センサ１５１の追加後である２０１７年２月１日の０時以降が測定期間であり、測定場所が「温室１」である状況を「ケース３」の測定ケースとして決定したとする。
【００６４】
また、追加された複数のベッドの識別情報が、それぞれ「Ｂ−１０」〜「Ｂ−１５」であり、位置が変更された複数の温度センサ１５１の識別情報が、それぞれ「Ｎｏ４．ＣＨ２」、「Ｎｏ４．ＣＨ４」および「Ｎｏ４．ＣＨ６」であり、追加された照度センサ１５１の識別情報が「Ｎｏ４．ＣＨ２１」であるとする。
【００６５】
この場合、ユーザは、ケース設定画面Ｓｃ１において、たとえば、名前欄に「ケース３」を入力し、期間欄に「２０１７年２月１日０時〜」を入力し、説明欄に「温室１」、「Ｂ−１０〜１５追加」、「Ｎｏ４．ＣＨ２，４，６温度センサ移動」および「Ｎｏ４．ＣＨ２１照度センサ追加」を入力する。
【００６６】
そして、ユーザが、上記のような入力を行った後、ケース設定画面Ｓｃ１における「追加」ボタンを選択する操作を行ったとする。
【００６７】
この場合、設定部１２は、ユーザによる操作の内容を示す入力情報を入力受付部１５経由で取得し、当該入力情報に基づいて、ユーザにより決定された測定ケースを設定する。すなわち、設定部１２は、ケース設定画面Ｓｃ１における、名前欄の入力内容、期間欄の入力内容、および説明欄の入力内容を対応づけて、蓄積部１３に保存する。
【００６８】
なお、上述した例では、設定部１２は、測定ケースごとに、名前、期間、および測定条件に関する説明を設定する構成であるが、このような構成に限らない。たとえば、設定部１２は、期間の設定を行わない構成であってもよい。
【００６９】
（グループの設定の具体例）
（ａ）測定ケースとセンサとの紐づけ
図３は、本発明の実施の形態に係るセンサデータ表示処置装置により表示されるグループの設定画面の一例を示す図（その１）である。
【００７０】
図１および図３を参照して、入力受付部１５は、ユーザがグループを設定するための所定の入力操作をセンサデータ表示処理装置１０１に対して行うと、ユーザの入力した内容を示す入力情報を設定部１２および処理部１４へ出力する。
【００７１】
処理部１４は、入力受付部１５から入力情報を受けると、当該入力情報に基づいてユーザの入力操作の内容を認識し、図３に示すようなグループ設定画面Ｓｃ２を表示する処理を行う。
【００７２】
グループ設定画面Ｓｃ２には、たとえば、設定部１２により設定された測定ケースの名前の一覧、およびセンサデータ管理システム２０１に含まれるセンサ１５１の一覧が含まれている。センサ１５１の一覧には、たとえば、各センサ１５１の識別情報および種別などが含まれている。
【００７３】
なお、図３に示すセンサ１５１の識別情報は、一例として、当該センサ１５１に対応するデータロガー１０２の番号、および当該センサ１５１に割り当てられたチャネルが含まれている。
【００７４】
また、ユーザが、グループ設定画面Ｓｃ２に含まれている測定ケースの中から「ケース３」の測定ケースを選択し、センサ１５１の一覧に含まれる全てのセンサ１５１を選択する操作を行い、さらに「保存」ボタンを押したとする。この場合、設定部１２は、「ケース３」の測定ケースと、センサ１５１の一覧に含まれる全てのセンサ１５１とを対応づけて、蓄積部１３に保存する。
【００７５】
なお、ユーザは、センサ１５１の一覧に含まれる一部のセンサ１５１を測定ケースに対応づけるように選択してもよい。また、ユーザは、複数の測定ケース間において、共通のセンサ１５１を対応づけるように選択してもよい。
【００７６】
（ｂ）上位グループの設定
図４は、本発明の実施の形態に係るセンサデータ表示処置装置により表示されるグループの設定画面の一例を示す図（その２−１）である。図５は、本発明の実施の形態に係るセンサデータ表示処置装置により表示されるグループの設定画面の一例を示す図（その２−２）である。図６は、本発明の実施の形態に係るセンサデータ表示処置装置により表示されるグループの設定画面の一例を示す図（その２−３）である。
【００７７】
図１および図４〜図６を参照して、ここでは図４に示すように、ユーザが、グループ設定画面Ｓｃ２において「ケース３」の測定ケースを選択し、さらに、「グループ名」欄に任意のグループ名を入力して「追加」ボタンを押す操作を行ったとする。
【００７８】
具体的には、「ケース３」の測定ケースでは測定場所が「温室１」であり、「温室１」に複数のベッドが設けられているとする。また、ユーザが、たとえば、「温室１」に設けられたベッドごとにグループ分けを行うことを決定し、ベッドの識別情報である「Ａ−０１」を入力して「追加」ボタンを押す操作を行ったとする。
【００７９】
この場合、設定部１２は、ユーザによる入力操作の内容を示す入力情報を入力受付部１５経由で取得し、取得した入力情報に基づいて、ユーザの選択した測定ケース、およびユーザの入力したグループ名「Ａ−０１」を認識する。そして、設定部１２は、認識したグループ名「Ａ−０１」を、「ケース３」の測定ケースに対応するグループの名前として蓄積部１３に保存する。
【００８０】
また、処理部１４は、当該入力情報を入力受付部１５経由で取得し、当該入力情報に基づいて、図５に示すようなグループ設定画面Ｓｃ２を表示する処理を行う。すなわち、図５に示すグループ設定画面Ｓｃ２には、「ケース３」に対応する箇所に表示されたグループ名「Ａ−０１」、および「ケース３」に対応するセンサ１５１の一覧が含まれている。
【００８１】
また、ユーザが、図５に示すグループ設定画面Ｓｃ２において、「Ａ−０１」のグループを選択し、「ケース３」に対応するセンサ１５１の一覧の中から１または複数のセンサ１５１を選択する操作を行い、さらに「保存」ボタンを押したとする。
【００８２】
具体的には、ユーザが、識別情報「Ｎｏ４．ＣＨ１」〜「Ｎｏ４．ＣＨ６」、「Ｎｏ４．ＣＨ２１」および「Ｎｏ２．ＣＨ４１」にそれぞれ対応する８つのセンサ１５１を選択して「保存」ボタンを押したとする。
【００８３】
この場合、設定部１２は、ユーザによる入力操作の内容を示す入力情報を入力受付部１５経由で取得し、取得した入力情報に基づいて、ユーザの選択した「Ａ−０１」、および識別情報「Ｎｏ４．ＣＨ１」〜「Ｎｏ４．ＣＨ６」、「Ｎｏ４．ＣＨ２１」および「Ｎｏ２．ＣＨ４１」にそれぞれ対応する８つのセンサ１５１を認識する。そして、設定部１２は、「Ａ−０１」のグループと、ユーザにより選択された８つのセンサ１５１とを対応づけて、蓄積部１３に保存する。
【００８４】
また、この場合、処理部１４は、当該入力情報を入力受付部１５経由で取得し、当該入力情報に基づいて、図６に示すようなグループ設定画面Ｓｃ２を表示する処理を行う。すなわち、図６に示すグループ設定画面Ｓｃ２には、「Ａ−０１」のグループに対応する８つのセンサ１５１の一覧が含まれている。
【００８５】
（ｃ）下位グループの設定
図７は、本発明の実施の形態に係るセンサデータ表示処置装置により表示されるグループの設定画面の一例を示す図（その３−１）である。図８は、本発明の実施の形態に係るセンサデータ表示処置装置により表示されるグループの設定画面の一例を示す図（その３−２）である。図９は、本発明の実施の形態に係るセンサデータ表示処置装置により表示されるグループの設定画面の一例を示す図（その３−３）である。
【００８６】
図１および図７〜図９を参照して、ここでは図７に示すように、ユーザが、グループ設定画面Ｓｃ２において「Ａ−０１」のグループを選択し、さらに、「グループ名」欄に任意のグループ名を入力して「追加」ボタンを押す操作を行ったとする。
【００８７】
具体的には、「Ａ−０１」のグループに対応するベッドにおいて複数種類のセンサ１５１が設けられているとする。また、ユーザが、たとえば、センサ１５１の種別ごとにグループ分けを行うことを決定し、種別の１つである「温度」を入力して「追加」ボタンを押す操作を行ったとする。
【００８８】
この場合、設定部１２は、ユーザによる入力操作の内容を示す入力情報を入力受付部１５経由で取得し、取得した入力情報に基づいて、ユーザの選択したグループ名「Ａ−０１」、およびユーザの入力したグループ名「温度」を認識する。そして、設定部１２は「Ａ−０１」のグループを上位グループとし、当該上位グループの下位グループとしてグループ名「温度」のグループを蓄積部１３に保存する。
【００８９】
また、処理部１４は、当該入力情報を入力受付部１５経由で取得し、当該入力情報に基づいて、図８に示すようなグループ設定画面Ｓｃ２を表示する処理を行う。すなわち、図８に示すグループ設定画面Ｓｃ２には、「Ａ−０１」に対応する箇所に表示されたグループ名「温度」、およびグループ名「Ａ−０１」に対応するセンサ１５１の一覧が含まれている。
【００９０】
また、ユーザが、図８に示すグループ設定画面Ｓｃ２において、「温度」のグループを選択し、「Ａ−０１」のグループに対応するセンサ１５１の一覧の中から１または複数のセンサ１５１を選択する操作を行い、さらに「保存」ボタンを押したとする。
【００９１】
具体的には、ユーザが、識別情報「Ｎｏ４．ＣＨ２」、「Ｎｏ４．ＣＨ４」および「Ｎｏ４．ＣＨ６」にそれぞれ対応する３つのセンサ１５１を選択して「保存」ボタンを押したとする。
【００９２】
この場合、設定部１２は、ユーザによる入力操作の内容を示す入力情報を入力受付部１５経由で取得し、取得した入力情報に基づいて、ユーザの選択したグループ名「温度」、および３つのセンサ１５１を認識する。そして、設定部１２は、「温度」のグループと、ユーザにより選択された３つのセンサ１５１とを対応づけて、蓄積部１３に保存する。
【００９３】
また、この場合、処理部１４は、当該入力情報を入力受付部１５経由で取得し、当該入力情報に基づいて、図９に示すようなグループ設定画面Ｓｃ２を表示する処理を行う。すなわち、図９に示すグループ設定画面Ｓｃ２には、「温度」のグループに対応する３つのセンサ１５１の一覧が含まれている。
【００９４】
上述した例では、「ケース３」の測定ケースに２つの階層のグループ、すなわち上位グループおよび下位グループが含まれているが、測定ケースに含まれるグループの階層は、１つまたは３つ以上であってもよい。
【００９５】
また、測定ケースに対応する１または複数のセンサ１５１は、グループに分けられていなくてもよい。
【００９６】
（マップの設定の具体例）
図１０は、本発明の実施の形態に係るセンサデータ表示処置装置により表示されるマップの設定画面の一例を示す図である。
【００９７】
図１および図１０を参照して、入力受付部１５は、ユーザがマップを設定するための所定の操作をセンサデータ表示処理装置１０１に対して行うと、ユーザの入力した内容を示す入力情報を設定部１２および処理部１４へ出力する。
【００９８】
処理部１４は、入力受付部１５から入力情報を受けると、当該入力情報に基づいてユーザの入力操作の内容を認識し、たとえば、マップの背景画面Ｂａの候補を複数表示する処理を行う。
【００９９】
また、処理部１４は、ユーザが複数の背景画面の候補の中から１つを選択する操作を行うと、ユーザの選択した背景画面Ｂａを含むマップ設定画面Ｓｃ３を表示する処理を行う。マップ設定画面Ｓｃ３には、背景画面Ｂａに加えて、さらに、測定ケースの選択欄Ｓｅ１、選択された測定ケースに対応するセンサ１５１の一覧Ｓｅ２、およびアイコンの選択欄Ｓｅ３が含まれる。
【０１００】
ここでは、ユーザが、測定ケースの選択欄Ｓｅ１において「ケース３」の測定ケースを選択し、センサ１５１の一覧Ｓｅ２において識別情報「Ｎｏ１.ＣＨ６」に対応するセンサ１５１を選択し、アイコンの選択欄Ｓｅ３において三角形状のアイコンを選択したとする。
【０１０１】
なお、アイコンの選択欄Ｓｅ３において、ユーザは、たとえば、センサ１５１の種別ごとに、異なる形状のアイコンを選択することができる。また、ユーザは、アイコンの形状だけでなく、アイコンの色などを選択することも可能である。
【０１０２】
図１０に示すマップ設定画面Ｓｃ３では、一例として、ユーザが、温度センサ１５１に対応するアイコンとして四角形状のアイコンＩｃ１を選択し、湿度センサ１５１に対応するアイコンとして三角形状のアイコンＩｃ２を選択し、水量センサ１５１に対応するアイコンとして滴形状のアイコンＩｃ３を選択し、照度センサ１５１に対応するアイコンとして丸形状のアイコンＩｃ４を選択し、電気伝導度センサ１５１に対応するアイコンとしてバツ印のアイコンＩｃ５を選択した状態を示している。
【０１０３】
また、ユーザが、たとえば、図１０に示す矢印のように、ドラッグアンドドロップの操作を行うことにより、選択したアイコンを、背景画面Ｂａ上におけるＡ棟の１２番のベッドとＡ棟の１３番のベッドとの間に配置する操作を行い、「保存」ボタンを選択したとする。この場合、処理部１４は、ユーザの選択したアイコンを背景画面Ｂａ上の対応する箇所に配置したマップを表示する処理を行う。
【０１０４】
また、この場合、設定部１２は、ユーザにより選択された、「ケース３」、「Ｎｏ１.ＣＨ６」、アイコンの種類、および背景画面Ｂａ上にアイコンを配置したマップを対応づけて蓄積部１３に保存する。
【０１０５】
なお、上述した例では、設定部１２は、ユーザによる入力操作の内容に基づいて、測定ケース、グループおよびマップの設定を行う構成であるが、このような構成に限らない。たとえば、設定部１２は、センサ１５１の配置場所における、環境、各センサ１５１の位置および種別などを示す条件情報を取得し、取得した条件情報に基づいて、測定ケース、グループおよびマップの設定を自動的に行う構成であってもよい。
【０１０６】
また、設定部１２は、測定ケースの設定を行う構成であればよく、グループの設定、およびマップの設定の少なくともいずれか一方を行わない構成であってもよい。
【０１０７】
［処理部による表示処理］
（グラフ表示）
図１１は、本発明の実施の形態に係るセンサデータ表示処置装置により表示されるグラフ画面の一例を示す図である。
【０１０８】
図１および図１１を参照して、入力受付部１５は、ユーザがグラフ画面Ｓｃ４の表示を指示するための所定の操作をセンサデータ表示処理装置１０１に対して行うと、ユーザによる入力操作の内容を示す入力情報を処理部１４へ出力する。
【０１０９】
処理部１４は、入力受付部１５から入力情報を受けると、当該入力情報に基づいて、たとえば、蓄積部１３に保存されている複数の測定ケースを確認し、測定ケースの一覧を画面に表示する処理を行う。たとえば、処理部１４は、「ケース１」、「ケース２」および「ケース３」を画面に表示する処理を行う。
【０１１０】
また、入力受付部１５は、ユーザによる測定ケースの指定を受け付ける。具体的には、入力受付部１５は、ユーザが測定ケースの名前の一覧の中から１つの名前を選択する操作を行うと、ユーザにより選択された測定ケースの名前を示す入力情報を処理部１４へ出力する。
【０１１１】
処理部１４は、入力受付部１５から入力情報を受けると、当該入力情報に基づいて、入力受付部１５で指定を受け付けた測定ケースに対応する１または複数の上位グループの一覧を表示する処理を行う。たとえば、処理部１４は、ユーザが「ケース３」を選択すると、「ケース３」に対応する上位グループの名前「Ａ−０１」、「Ａ−０２」、「Ａ−０３」、・・・を表示する処理を行う。
【０１１２】
また、入力受付部１５は、ユーザによる上位グループの指定を受け付ける。具体的には、入力受付部１５は、ユーザが上位グループの一覧の中からいずれか１つを選択する操作を行うと、ユーザにより選択された上位グループを示す入力情報を処理部１４へ出力する。
【０１１３】
処理部１４は、入力受付部１５から入力情報を受けると、当該入力情報に基づいて、入力受付部１５で指定を受け付けた上位グループに対応する１または複数の下位グループの一覧を表示する処理を行う。たとえば、処理部１４は、ユーザが「Ａ−０１」を選択すると、「Ａ−０１」に対応する下位グループの名前「温度」、「湿度」、「水量」および「照度」を表示する処理を行う。
【０１１４】
また、入力受付部１５は、ユーザによるセンサ１５１の種別の指定、すなわち下位グループの指定を受け付ける。具体的には、入力受付部１５は、ユーザが下位グループの一覧の中からいずれか１つを選択する操作を行うと、ユーザにより選択された下位グループを示す入力情報を処理部１４へ出力する。
【０１１５】
処理部１４は、入力受付部１５から入力情報を受けると、当該入力情報に基づいて、入力受付部１５で指定を受け付けた下位グループに属する１または複数のセンサ１５１の一覧を表示する処理を行う。たとえば、処理部１４は、ユーザが「温度」を選択すると、「温度」に対応するセンサ１５１の識別情報「Ｎｏ４．ＣＨ２」、「Ｎｏ４．ＣＨ４」および「Ｎｏ４．ＣＨ６」を表示する処理を行う。
【０１１６】
また、入力受付部１５は、ユーザによるセンサ１５１の指定を受け付ける。具体的には、入力受付部１５は、ユーザがセンサ１５１の一覧の中からいずれか１つを選択して「表示」ボタンを押したとすると、ユーザにより選択されたセンサ１５１を示す入力情報を処理部１４へ出力する。
【０１１７】
処理部１４は、入力受付部１５から入力情報を受けると、当該入力情報に基づいて、入力受付部１５で指定を受け付けた識別情報に対応するセンサ１５１の計測結果を示すグラフを表示する処理を行う。たとえば、処理部１４は、ユーザが「Ｎｏ４．ＣＨ４」を選択して「表示」ボタンを選択する操作を行うと、蓄積部１３に保存されているセンサデータに基づいて、「Ｎｏ４．ＣＨ４」に対応するセンサ１５１の計測結果を示すグラフＧ１を表示する処理を行う。
【０１１８】
なお、処理部１４は、ユーザが複数のセンサ１５１を選択して「表示」ボタンを押した場合には、ユーザにより選択された複数のセンサ１５１の各々の計測結果を示すグラフを表示する処理を行う。
【０１１９】
また、処理部１４は、ユーザがグループを選択して「表示」ボタンを押した場合には、ユーザにより選択されたグループに属する１または複数のセンサ１５１の各々の計測結果を示すグラフを表示する処理を行う。
【０１２０】
たとえば、ユーザが、「ケース３」に対応する「Ａ−０７」を選択し、さらに「Ａ−０７」に対応する「温度」を選択して「表示」ボタンを選択する操作を行ったとする。また、「温度」のグループには、識別情報「Ｎｏ４．ＣＨ８」のセンサ１５１、識別情報「Ｎｏ４．ＣＨ１０」のセンサ１５１、および識別情報「Ｎｏ４．ＣＨ１２」のセンサ１５１が属しているとする。
【０１２１】
この場合、処理部１４は、蓄積部１３に保存されているセンサデータに基づいて、識別情報「Ｎｏ４．ＣＨ８」のセンサ１５１、識別情報「Ｎｏ４．ＣＨ１０」のセンサ１５１、および識別情報「Ｎｏ４．ＣＨ１２」のセンサ１５１の各々の計測結果を示すグラフＧ２を表示する処理を行う。
【０１２２】
なお、処理部１４は、ユーザが測定ケースを選択して「表示」ボタンを押した場合には、ユーザにより選択された測定ケースに対応する１または複数のセンサ１５１の各々の計測結果を示すグラフを表示する処理を行う。
【０１２３】
たとえば、処理部１４は、ユーザが「ケース３」の測定ケースを選択して「表示」ボタンを押した場合、「ケース３」に対応する全てのセンサ１５１の各々の計測結果を示すグラフを１画面に表示する処理を行う。すなわち、処理部１４は、「ケース３」に対応するセンサ１５１が、たとえば５０個ある場合、５０個のグラフを１画面に表示する処理を行う。なお、処理部１４は、複数のグラフを複数画面に表示する処理を行うことも可能である。
【０１２４】
（マップ表示）
図１２は、本発明の実施の形態に係るセンサデータ表示処置装置により表示されるマップ画面の一例を示す図である。
【０１２５】
図１、図１１および図１２を参照して、たとえば、図１１に示すグラフ画面Ｓｃ４が表示されている状況において、ユーザが「マップ表示」のタブを選択する操作をセンサデータ表示処理装置１０１に対して行ったとする。この場合、処理部１４は、図１２に示すようなマップ画面Ｓｃ５を表示する処理を行う。
【０１２６】
たとえば、マップ画面Ｓｃ５には、ユーザにより選択されたセンサ１５１、およびユーザにより選択されたグループに属する３つのセンサ１５１、すなわち識別情報「Ｎｏ４．ＣＨ４」、「Ｎｏ４．ＣＨ８」、「Ｎｏ４．ＣＨ１０」および「Ｎｏ４．ＣＨ１２」にそれぞれ対応する４つのセンサ１５１の各々の位置が認識可能に表示される。
【０１２７】
具体的には、マップ画面Ｓｃ５には、たとえば、ユーザにより選択された「ケース３」の測定ケースに対応するマップが表示される。また、当該マップに配置された複数のアイコンのうち、「Ｎｏ４．ＣＨ４」のセンサ１５１、「Ｎｏ４．ＣＨ８」のセンサ１５１、「Ｎｏ４．ＣＨ１０」のセンサ１５１、および「Ｎｏ４．ＣＨ１２」のセンサ１５１にそれぞれ対応する４つのアイコンが、他のアイコンとは異なる態様で表示される。たとえば、これら４つのアイコンが所定の色で塗りつぶされ、他のアイコンが白抜きで表示される。
【０１２８】
なお、上述した例では、処理部１４は、グラフ画面Ｓｃ４の表示処理およびマップ画面Ｓｃ５の表示処理の両方を行うことのできる構成であるが、このような構成に限らない。たとえば、処理部１４は、グラフ画面Ｓｃ４の表示処理を行い、マップ画面Ｓｃ５の表示処理を行わない構成であってもよい。
【０１２９】
＜動作の流れ＞
センサデータ管理システム２０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１３０】
図１３は、本発明の実施の形態に係るセンサデータ表示処理装置の動作の流れの一例を示すフローチャートである。
【０１３１】
図１１〜図１３を参照して、ここでは、センサデータ表示処理装置１０１が、測定ケース、グループおよびマップの設定を事前に行っていることとする。まず、センサデータ表示処理装置１０１は、複数のセンサ１５１からそれぞれ送信される複数のセンサデータを受信し、受信したセンサデータを保持する（ステップＳ１１）。
【０１３２】
次に、センサデータ表示処理装置１０１は、ユーザによりグラフ画面Ｓｃ４の表示を指示するための所定の操作が行われると（ステップＳ１２）、自己の保持する測定ケースの一覧を画面に表示する処理を行う（ステップＳ１３）。
【０１３３】
次に、センサデータ表示処理装置１０１は、ユーザによる測定ケースの指定を受け付けると（ステップＳ１４）、指定された測定ケースに対応する上位グループの一覧を画面に表示する処理を行う（ステップＳ１５）。
【０１３４】
次に、センサデータ表示処理装置１０１は、ユーザによる上位グループの指定を受け付けると（ステップＳ１６）、指定された上位グループに対応する下位グループの一覧を画面に表示する処理を行う（ステップＳ１７）。
【０１３５】
次に、センサデータ表示処理装置１０１は、ユーザによる下位グループの指定を受け付けると（ステップＳ１８）、指定された下位グループに属する１または複数のセンサ１５１の一覧を画面に表示する処理を行う（ステップＳ１９）。
【０１３６】
次に、センサデータ表示処理装置１０１は、ユーザによるセンサ１５１の指定および「表示」ボタンの選択を受け付けると（ステップＳ２０）、図１１に示すように、ユーザにより選択された１または複数のセンサ１５１の各々の計測結果を示すグラフを含むグラフ画面Ｓｃ４を表示する処理を行う（ステップＳ２１）。
【０１３７】
次に、センサデータ表示処理装置１０１は、ユーザによる、画面Ｓｃ４における「マップ表示」のタブの選択を受け付けると（ステップＳ２２）、図１２に示すように、ユーザにより選択された１または複数のセンサ１５１の各々の位置を示すマップ画面Ｓｃ５を表示する処理を行う（ステップＳ２３）。
【０１３８】
ところで、センサの配置場所における環境、または当該配置場所におけるセンサの位置または数など、測定条件が変更されることがある。たとえば、センサの配置場所における作物の栽培期間が終了した場合、または作物の栽培期間中にセンサの移動もしくは追加が行われた場合、測定条件が変更される。
【０１３９】
このような場合、測定条件の変更前の期間におけるセンサの計測結果を確認するためには、たとえば、確認時において、ユーザが計測結果の表示処理を行う装置に対して変更前の測定条件を入力するなどの作業が必要であり、多くの手間を要する。
【０１４０】
これに対して、本発明の実施の形態に係るセンサデータ表示処理装置１０１では、取得部１１が、センサ１５１の計測結果を含むセンサデータを複数のセンサ１５１から取得する。設定部１２が、測定ケースごとに、対応する１または複数のセンサ１５１を設定する。入力受付部１５が、測定ケースの指定を受け付ける。そして、処理部１４が、取得部１１により取得された複数のセンサデータのうち、入力受付部１５で指定を受け付けた測定ケースに対応する１または複数のセンサデータに基づく内容を表示する表示処理を行う。
【０１４１】
このような構成により、ユーザにおいて、複数の測定ケースの中から所望の測定ケースを指定する操作を行うことで、指定した測定ケースに対応するセンサデータに基づく内容を確認することができる。したがって、測定条件が変更された場合であっても、複雑な作業を要することなく、変更前の期間における計測結果をユーザに提示することができる。
【０１４２】
また、本発明の実施の形態に係るセンサデータ表示処理装置１０１では、設定部１２は、測定ケースに対応する１または複数のセンサ１５１および期間を設定する。
【０１４３】
このような構成により、ユーザにおいて、各測定ケースに対応する期間を確認することで、複数の測定ケースの中から所望の測定ケースをより容易に特定することができる。
【０１４４】
また、本発明の実施の形態に係るセンサデータ表示処理装置１０１では、入力受付部１５は、センサ１５１の指定をさらに受け付ける。処理部１４は、表示処理において、入力受付部１５で指定を受け付けた測定ケースにおける、入力受付部１５で指定を受け付けたセンサに対応するセンサデータに基づく内容を表示する処理を行う。
【０１４５】
このような構成により、測定ケースに多数のセンサ１５１が対応づけられている場合であっても、多数のセンサ１５１のうちの指定されたセンサ１５１に対応するセンサデータに基づく内容が表示されるため、煩雑な表示となることを避けることができる。
【０１４６】
また、本発明の実施の形態に係るセンサデータ表示処理装置１０１では、設定部１２は、測定ケースに対応する、センサ１５１の複数のグループを設定する。入力受付部１５は、グループの指定をさらに受け付ける。処理部１４は、表示処理において、入力受付部１５で指定を受け付けた測定ケースにおける、入力受付部１５で指定を受け付けたグループに属する１または複数のセンサ１５１に対応するセンサデータに基づく内容を表示する処理を行う。
【０１４７】
このように、測定ケースに対応する１または複数のセンサ１５１がグループ分けされている構成により、測定ケースに多数のセンサ１５１が対応づけられている場合であっても、ユーザにおいて多数のセンサの中から所望のセンサ１５１を容易に特定することができる。
【０１４８】
また、本発明の実施の形態に係るセンサデータ表示処理装置１０１では、各グループは、センサ１５１の位置に基づいて設定される。
【０１４９】
このような構成により、たとえば、ユーザにおいて所望のエリアに対応するグループを指定することにより、当該エリアにおける計測結果を容易に確認することができる。
【０１５０】
また、本発明の実施の形態に係るセンサデータ表示処理装置１０１では、各グループは、センサ１５１の種別に基づいて設定される。
【０１５１】
このような構成により、たとえば、ユーザにおいて所望の種別に対応するグループを指定することにより、当該種別に対応するセンサ１５１の計測結果を容易に確認することができる。
【０１５２】
また、本発明の実施の形態に係るセンサデータ表示処理装置１０１では、設定部１２は、測定ケースに対応する１または複数のセンサ１５１および配置場所を設定する。また、処理部１４は、入力受付部１５で指定を受け付けた測定ケースに対応する配置場所を認識可能に表示する処理を行う。
【０１５３】
このような構成により、ユーザにおいて、複数の測定ケースの中から所望の測定ケースを指定する操作を行うことで、当該測定ケースに対応する１または複数のセンサの配置場所を容易に確認することができる。
【０１５４】
また、本発明の実施の形態に係るセンサデータ表示処理装置１０１では、入力受付部１５は、センサ１５１の指定をさらに受け付ける。処理部１４は、入力受付部１５で指定を受け付けたセンサ１５１の配置場所における位置を認識可能にさらに表示する処理を行う。
【０１５５】
このような構成により、測定ケースに多数のセンサが対応づけられている場合であっても、多数のセンサ１５１のうちの指定されたセンサ１５１の配置場所における位置が表示されるため、煩雑な表示となることを避けることができる。
【０１５６】
また、本発明の実施の形態に係るセンサデータ表示処理装置１０１では、設定部１２は、測定ケースに対応する、センサ１５１の複数のグループを設定する。入力受付部１５は、グループの指定をさらに受け付ける。処理部１４は、入力受付部１５で指定を受け付けたグループに属する１または複数のセンサ１５１の配置場所における位置を認識可能にさらに表示する処理を行う。
【０１５７】
このように、測定ケースに対応する１または複数のセンサがグループ分けされている構成により、測定ケースに多数のセンサが対応づけられている場合であっても、ユーザにおいて多数のセンサ１５１の中から所望のセンサ１５１を容易に特定することができる。
【０１５８】
また、本発明の実施の形態に係るセンサデータ表示処理装置１０１では、グループは、センサ１５１の種別に基づいて設定される。入力受付部１５は、センサ１５１の種別の指定をさらに受け付ける。処理部１４は、入力受付部１５で指定を受け付けた種別の１または複数のセンサの配置場所における位置を認識可能にさらに表示する処理を行う。
【０１５９】
このような構成により、たとえば、ユーザにおいて所望の種別に対応するグループを指定することにより、当該種別に対応するセンサ１５１の位置を容易に確認することができる。
【０１６０】
また、本発明の実施の形態に係る表示処理方法では、まず、センサデータ表示処理装置１０１は、センサ１５１の計測結果を含むセンサデータを複数のセンサ１５１から取得する。次に、センサデータ表示処理装置１０１は、測定ケースの指定を受け付ける。次に、センサデータ表示処理装置１０１は、取得した複数のセンサデータのうち、入力受付部１５で指定を受け付けた測定ケースに対応する１または複数のセンサデータに基づく内容を表示する表示処理を行う。
【０１６１】
このような方法により、ユーザにおいて、複数の測定ケースの中から所望の測定ケースを指定する操作を行うことで、指定した測定ケースに対応するセンサデータに基づく内容を確認することができる。したがって、測定条件が変更された場合であっても、複雑な作業を要することなく、変更前の期間における計測結果をユーザに提示することができる。
【０１６２】
なお、本発明の実施の形態に係るセンサデータ表示処理装置１０１の機能の一部または全部が、クラウドコンピューティングによって提供されてもよい。すなわち、本発明の実施の形態に係るセンサデータ表示処理装置１０１が、複数のクラウド事業者サーバ等によって構成されてもよい。
【０１６３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１６４】
以上の説明は、以下に付記する特徴を含む。
【０１６５】
［付記１］
センサの計測結果を含むセンサデータを複数の前記センサから取得する取得部と、
測定ケースごとに、対応する１または複数の前記センサを設定する設定部と、
前記測定ケースの指定を受け付ける受付部と、
前記取得部により取得された複数の前記センサデータのうち、入力受付部１５で指定を受け付けた前記測定ケースに対応する１または複数の前記センサデータに基づく内容を表示する表示処理を行う処理部とを備え、
前記センサは、温度センサ、湿度センサ、給水量センサ、照度センサまたは電気伝導度センサであり、
前記設定部は、前記測定ケースごとに、さらに、名前、期間および測定条件に関する説明を設定し、
前記処理部は、入力受付部１５で指定を受け付けた前記測定ケースに対応する１または複数の前記センサデータに基づいて、１または複数のグラフを表示する、センサデータ表示処理装置。
【符号の説明】
【０１６６】
１１  取得部
１２  設定部
１３  蓄積部
１４  処理部
１５  入力受付部
１０１  センサデータ表示処理装置
１０２  データロガー
１５１  センサ
２０１  センサデータ管理システム
【図１】
2019020247.tif 000003
【図２】
2019020247.tif 000004
【図３】
2019020247.tif 000005
【図４】
2019020247.tif 000006
【図５】
2019020247.tif 000007
【図６】
2019020247.tif 000008
【図７】
2019020247.tif 000009
【図８】
2019020247.tif 000010
【図９】
2019020247.tif 000011
【図１０】
2019020247.tif 000012
【図１１】
2019020247.tif 000013
【図１２】
2019020247.tif 000014
【図１３】
2019020247.tif 000015